(57)【要約】【課題】かご内利用者が意図しない全ての停止において気配りアナウンスが行われ、改修するためには改修に該当する号機のエレベータだけを休止させれば良いエレベータ制御装置を提供する。【解決手段】エレベータ制御装置は、エレベータの運転を制御するエレベータ制御装置において、エレベータの各号機を制御する各号機単独回路に、かご内利用者によるかご呼び登録でＯＮするかご呼びリレーと、かご呼び登録された階と停止する階とが一致するときＯＮする停止階リレーと、上記かご呼びリレーがＯＮ且つ上記停止階リレーがＯＦＦのとき気配りアナウンスを行い、また、上記かご呼びリレーがＯＮ且つ上記停止階リレーがＯＮのとき気配りアナウンスを行わない気配りアナウンス回路と、を有する。【選択図】図３
2008254871.tif 000002
【特許請求の範囲】
【請求項１】
エレベータの運転を制御するエレベータ制御装置において、
エレベータの各号機を制御する各号機単独回路に、かご内利用者によるかご呼び登録でＯＮするかご呼びリレーと、かご呼び登録された階と停止する階とが一致するときＯＮする停止階リレーと、上記かご呼びリレーがＯＮ且つ上記停止階リレーがＯＦＦのとき気配りアナウンスを行い、また、上記かご呼びリレーがＯＮ且つ上記停止階リレーがＯＮのとき気配りアナウンスを行わない気配りアナウンス回路と、を有することを特徴とするエレベータ制御装置。
【請求項２】
エレベータに気配りアナウンス機能を追加装備するためにエレベータ制御装置を改修する方法において、
かご内利用者によるかご呼び登録でＯＮするかご呼びリレーと、かご呼び登録された階と停止する階とが一致するときＯＮする停止階リレーと、上記かご呼びリレーがＯＮ且つ上記停止階リレーがＯＦＦのとき気配りアナウンスを行い、また、上記かご呼びリレーがＯＮ且つ上記停止階リレーがＯＮのとき気配りアナウンスを行わない気配りアナウンス回路と、をエレベータの各号機を制御する各号機単独回路に追加するまたは予め設けられた追加盤を追加する工程を含むことを特徴とするエレベータ制御装置を改修する方法。
【発明の詳細な説明】
【技術分野】
【０００１】
この発明は、エレベータ制御装置およびそのエレベータ制御装置を改修する方法に関するものである。
【背景技術】
【０００２】
エレベータの動作に不慣れな利用者であったとしても、利用者の勘違いで誤って目的階以外の階でエレベータを降りてしまうことを未然に防止でき、エレベータの利用者へのサービス向上を図ることができるエレベータ制御装置が提案されている。
すなわち、かご内利用者のかご呼びにて目的階へ向かう途中、途中階の乗場呼び割当を判定し、当該乗場呼びに従って停止したとき、かご内利用者が間違って降車しないよう、「未到着報知」をするが、ホテルのロビーなどに必ず止まる強制停止運転や各階停止運転の場合、「未到着報知」を行わない（例えば、特許文献１参照）。
【０００３】
【特許文献１】特開２００６−２５６８３５号公報
【発明の開示】
【発明が解決しようとする課題】
【０００４】
ところで、「未到着報知」を制御する制御装置は、以下のような回路を備えている。
図７は、従来のエレベータ制御装置の１号機・２号機共通回路の回路図である。
リレーＮ１からリレーＮＴは、１号機と２号機共通の乗場釦回路である。リレーＮＫは、Ａ接点Ｎ１からＡ接点ＮＴから構成された乗場割当検出回路である。
１号機・２号機共通回路には、１号機および２号機に影響を与える回路が含まれているので、１号機・２号機共通回路を改修する場合には１号機および２号機のエレベータを休止して行わなければならない。
【０００５】
図８は、従来のエレベータ制御装置の各号機単独回路の回路図である。
リレーＥＦＳは、各階停止スイッチが入るとかご呼びの目的階に到着するまで各階停止運転を行う指令をするリレーである。リレーＥは、ホテルのロビー階など特定の階に強制的に停止指令する強制停止リレーである。従って、１号機の回路を改修する場合には１号機のエレベータだけを休止すれば良く、２号機のエレベータは運転を継続していても良い。
未到着報知回路は、オートアナウンス装置内に装備され、リレーＮＫのＡ接点ＮＫなどの通により、未到着報知信号をスピーカーに送信する。
【０００６】
しかし、かご内利用者へ「未到着報知」すべきケースは、かご内利用者が意図しない停止であって、乗場呼び割当によるエレベータ停止時以外の各階停止運転およびホテルロビー階などの強制停止によるものもあり、乗場呼びの割当の有無判定による未到着報知方法では、かご内利用者にとって不十分な報知である。
【０００７】
また、各階停止運転、強制停止などのように色々な停止条件が設定され、これらの設定による停止時にも「未到着報知」する場合、例えば、図８の未到着報知回路のＡ接点ＥＦＳ回路とＡ接点Ｅ回路のように乗場呼び割当条件と途中乗場呼びを構成する回路と並列にその都度、それぞれの条件を接続しなければならない。
【０００８】
また、現在据付けられている殆どのエレベータには「走行方向」や「着床階」などのアナウンスする機能は備え付けられているが、「未到着報知」の機能を装備しているエレベータは少ない。一方で、お年寄りが利用しているエレベータに対して「未到着報知」の機能を追加して欲しいという要望があるが、乗場呼び割当検出などの共通回路内の要素を改修しなければならないので、共通バンク内のエレベータ全てを休止しなければならず、改修する目処が立たない。
【０００９】
この発明の目的は、かご内利用者が意図しない全ての停止において気配りアナウンスが行われ、改修するためには改修に該当する号機のエレベータだけを休止させれば良いエレベータ制御装置およびそのエレベータ制御装置を改修する方法を提供することである。
【課題を解決するための手段】
【００１０】
この発明に係るエレベータ制御装置は、エレベータの運転を制御するエレベータ制御装置において、エレベータの各号機を制御する各号機単独回路に、かご内利用者によるかご呼び登録でＯＮするかご呼びリレーと、かご呼び登録された階と停止する階とが一致するときＯＮする停止階リレーと、上記かご呼びリレーがＯＮ且つ上記停止階リレーがＯＦＦのとき気配りアナウンスを行い、また、上記かご呼びリレーがＯＮ且つ上記停止階リレーがＯＮのとき気配りアナウンスを行わない気配りアナウンス回路と、を有する。
【発明の効果】
【００１１】
この発明に係るエレベータ制御装置の効果は、かご呼び登録および停止階に基づいて、かご内利用者が登録したかご呼びに係る停止を検出し、検出したかご内利用者が登録したかご呼びに係る停止以外の停止のときには気配りアナウンスが行われるので、かご内利用者が登録したかご呼びに係る停止以外の停止で気配りアナウンスを行うことができることである。
【発明を実施するための最良の形態】
【００１２】
実施の形態１．
図１は、この発明に係る実施の形態１によるエレベータ制御装置が配置されたエレベータの構成図である。
この発明に係るエレベータのかご３は、この発明に係る実施の形態１によるエレベータ制御装置により制御される。なお、以下の説明では、エレベータのかご３の運行範囲は１階からＴ階とする。
この発明に係る実施の形態１によるエレベータ制御装置は、エレベータの制御やアナウンスを制御する制御盤１、種々のアナウンス内容を収納し、制御盤１の指令に従い必要なアナウンス信号を発するオートアナウンス装置（以下、「ＡＡＮ装置」と称す）２、各種信号を授受する中継箱４、アナウンス信号を増幅して放送するスピーカー５、かご呼びのときに操作される行先釦などを搭載したかご操作盤６、かご操作盤６内に装備されたスイッチ７を備える。
制御盤１からスイッチ７は、中継箱４を経由し電気的に接続されている。
【００１３】
図２は、制御盤内の各号機単独回路の「気配りアナウンス」に関係する回路の回路図である。
Ａ接点３０１〜３０Ｔは、かご３の行先釦に応答するとＯＮする図示しないリレーのＡ接点である。
３０Ｃかご呼びリレー１２は、行先釦が操作されてかご呼びが少なくとも１つ登録されたときＯＮするリレーである。
Ａ接点１１１〜１１Ｔは、かご３が各階床に停止するとＯＮする図示しないリレーのＡ接点である。
ＣＸ停止階リレー１３は、少なくとも１つの階に係わるＡ接点３０１〜３０ＴとＡ接点１１１〜１１Ｔとがともに通のときＯＮするリレーである。例えば、４階のかご呼びが登録されているかご３が４階に停止するとき、４階のかご呼びが登録されているので、Ａ接点３０４が通であり、４階に停止するのでＡ接点１１４が通となり、ＣＸ停止階リレー１３がＯＮする。また、４階のかご呼びが登録されているかご３が３階に停止するとき、４階のかご呼びが登録されているので、Ａ接点３０４が通であり、３階に停止するのでＡ接点１１３が通となり、ＣＸ停止階リレー１３がＯＦＦのままである。
【００１４】
図３は、この発明に係る実施の形態１による気配りアナウンス回路１８の回路図である。
気配りアナウンス部１７は、気配りアナウンス内容を収容し、電源がＯＮすると気配りアナウンス信号をスピーカー５に送信する。
Ａ接点１５は、かご呼びリレー１２のＡ接点である。Ｂ接点１６は、ＣＸ停止階リレー１３のＢ接点である。そして、Ａ接点１５とＢ接点１６がともに通のとき気配りアナウンス部１７の電源がＯＮする。
【００１５】
図４は、この発明に係る実施の形態１によるエレベータ制御装置の動作の手順を示すフローチャートである。
ステップＳ１において、かご呼びが有るか否かを判断し、かご呼びがないときステップＳ１を繰り返し、かご呼びが有るときステップＳ２に進む。
ステップＳ２において、かご呼び登録階にエレベータを運転する。
ステップＳ３において、途中階にて停止を検出したか否かを判断し、途中階にて停止を検出しないときにはステップＳ６に進み、途中階にて停止を検出したときにはステップＳ４に進む。
ステップＳ４において、「気配りアナウンス」を行う。
ステップＳ５において、途中階にエレベータを停止する。
ステップＳ６において、かご呼び登録階にエレベータを運転する。
ステップＳ７において、かご呼び登録階にて停止を検出したか否かを判断し、かご呼び登録階にて停止を検出しないときにはステップＳ３に戻り、かご呼び登録階にて停止を検出したときにはステップＳ８に進む。
ステップＳ８において、「気配りアナウンス」を行わずにかご呼び登録階に停止する。
【００１６】
具体的な例を用いて動作を説明する。かご内利用者が１階から乗車し、５階のかご呼びを登録する。このとき、各号機単独回路のＡ接点３０５が通となり、それに伴いかご呼びリレー１２がＯＮする。すると、気配りアナウンス回路１８のＡ接点１５が通となる。一方、１階でのかご呼び登録のときにはＡ接点１１１からＡ接点１１ＴのうちＡ接点１１１だけが通である。それゆえ、ＣＸ停止階リレー１３はＯＦＦであり、気配りアナウンス回路１８のＢ接点１６が通となる。なお、気配りアナウンス回路１８にはこのとき電源が供給されていないので、気配りアナウンス部１７の電源はＯＦＦである。
【００１７】
かご３が乗場呼びにより３階に停止しようとすると、Ａ接点１１３が通となってもＣＸ停止階リレー１３はＯＦＦであり、気配りアナウンス回路１８のＢ接点１６が通となる。このとき、気配りアナウンス回路１８の両端に電源が印加されるので、気配りアナウンス部１７の電源がＯＮし、気配りアナウンス部１７から気配りアナウンス信号がスピーカー５に送信される。
【００１８】
かご３がかご呼び登録された５階に停止しようとすると、Ａ接点１１５が通となり、且つ、Ａ接点３０５が通であるので、ＣＸ停止階リレー１３がＯＮする。ＣＸ停止階リレー１３がＯＮすると、Ｂ接点１６が断となる。このとき、気配りアナウンス回路１８の両端に電源が印加されても、Ｂ接点１６が断であるので、気配りアナウンス部１７の電源はＯＦＦである。
【００１９】
このように、かご内利用者が登録したかご呼びに係る停止を検出し、検出したかご内利用者が登録したかご呼びに係る停止以外の停止のときには「気配りアナウンス」がされるので、かご内利用者が意図しない途中階での停止、例えば、各階停止運転での停止または強制停止などの停止のとき「気配りアナウンス」ができる。
【００２０】
また、他に色々な停止条件が設定されても、かご内利用者が登録したかご呼びに係る停止だけを検出し、検出したかご内利用者が登録したかご呼びに係る停止以外の全ての停止のときに「気配りアナウンス」がされるので、停止条件の設定に関係せずに「気配りアナウンス」をすることができる。
【００２１】
また、現在使用中の既設エレベータに「気配りアナウンス」の機能を追加装備するとき、各号機単独回路を改修し、気配りアナウンス回路を追加すればいいので、共通回路を改修せずに済み、改修に該当する号機のエレベータだけを休止させれば良く、共通バンク内の改修対象以外の号機のエレベータは運転でき、何時でも改修に着手できる。
【００２２】
実施の形態２．
図５は、この発明に係る実施の形態２によるエレベータ制御装置が配置されたエレベータの構成図である。
この発明に係る実施の形態２によるエレベータ制御装置は、実施の形態１によるエレベータ制御装置に追加盤８を追加したことが異なっており、それ以外は同様であるので、同様な部分に同じ符号を付記し説明は省略する。
すなわち、既設エレベータに「気配りアナウンス」機能を追加装備するとき、ＡＡＮ装置２を改修するのではなく、追加盤８を制御盤１の近辺に設置する。
追加盤８には、図６に示す各号機単独回路と気配りアナウンス回路を設け、電源は制御盤１と既設のＡＡＮ装置２から供給する。
【００２３】
予め各号機単独回路と気配りアナウンス回路とを組み込んだ追加盤８を追加装備するとき、外部線引き出し位の結線変更で済むので、簡単に気配りアナウンス機能を追加することができる。
また、工事にあたって共通回路の改修が不要であるので、改修対象の１台を改修工事していても他の号機のエレベータは普段と同様に利用者が利用でき、改修工事の時期的制約がない。
【図面の簡単な説明】
【００２４】
【図１】この発明に係る実施の形態１によるエレベータ制御装置が配置されたエレベータの構成図である。
【図２】制御盤内の各号機単独回路の「気配りアナウンス」に関係する回路の回路図である。
【図３】この発明に係る実施の形態１によるアートアナウンス装置の気配りアナウンス回路の回路図である。
【図４】この発明に係る実施の形態１によるエレベータ制御装置の動作の手順を示すフローチャートである。
【図５】この発明に係る実施の形態２によるエレベータ制御装置が配置されたエレベータの構成図である。
【図６】この発明に係る実施の形態２による追加盤の気配りアナウンス回路の回路図である。
【図７】従来のエレベータ制御装置の１号機・２号機共通回路の回路図である。
【図８】従来のエレベータ制御装置の各号機単独回路の回路図である。
【符号の説明】
【００２５】
１  制御盤、２  アートアナウンス装置（ＡＡＮ装置）、３  かご、４  中継箱、５  スピーカー、６  操作盤、７  スイッチ、８  追加盤、１１１〜１１Ｔ  Ａ接点、１２  かご呼びリレー、１３  停止階リレー、１５  （かご呼びリレーの）Ａ接点、１６  （停止階リレーの）Ｂ接点、１７  気配りアナウンス部、１８  気配りアナウンス回路、３０１〜３０Ｔ  Ａ接点。
【図１】
2008254871.tif 000003
【図２】
2008254871.tif 000004
【図３】
2008254871.tif 000005
【図４】
2008254871.tif 000006
【図５】
2008254871.tif 000007
【図６】
2008254871.tif 000008
【図７】
2008254871.tif 000009
【図８】
2008254871.tif 000010